(57)【要約】      （修正有）【課題】本体部のスプリング収容用溝部を不要にしてその分だけ加工を簡単にできると共に、本体部全体の強度の向上とコンパクト化を図ることができ、さらには一対のツメ部の強度や耐久性を向上させることができる工具保持具を提供する。【解決手段】一対のスプリング１１,１１と、一対のツメ部１２，１２と、本体部１３と、ホルダー１４とを有する。一対のスプリング１１,１１はそれぞれの両側に一対のツメ部１２，１２の外側面を横方向から抱えて保持する一対の外側面抱え保持部および内側面抱え保持部を有しており、一対のスプリング１１,１１を対向させて、一対のスプリング１１,１１それぞれの一対の外側面抱え保持部が２重になり、かつ、一対の内側面抱え保持部が対向するように配置し、２重になった外側面抱え保持部と対向する内側面抱え保持部でそれぞれ一対のツメ部１２，１２を保持する。【選択図】図１
0003186394.tif 000002
【実用新案登録請求の範囲】
【請求項１】
工具の基部を挟持して保持する工具保持具であって、
前記工具の基部を対向する工具挟持部によって挟持する一対のツメ部と、
前記一対のツメ部それぞれの側面を横方向から支持して、前記一対のツメ部をそれぞれの工具挟持部が対向するように保持するスプリングと、
前記一対のツメ部が収容されるツメ部収容凹部が形成されると共に、そのツメ部収容凹部の後方の外側面に雄ネジ部が形成された本体部と、
後端側の内周面には前記本体部の雄ネジ部に螺合する雌メジ部が形成されている一方、先端側の内周面には前記雌ネジ部を前記本体部の雄ネジ部に螺合させて回転させた際に前記ツメ部収容凹部に収容された前記一対のツメ部の外側面を内側に押圧することによって前記一対のツメ部を互いに近接させ、当該一対のツメ部それぞれの工具挟持部によって前記工具を挟持する先細に傾斜した締付け面が形成されたホルダーと
を有することを特徴とする工具保持具。
【請求項２】
請求項１記載の工具保持具において、
前記スプリングは、一対のスプリングからなり、その一対のスプリングは、それぞれ、
両側に一対のツメ部の外側面を横方向から抱えて保持する一対の外側面抱え保持部と、その一対の外側面抱え保持部の先端部が折れ曲がって前記一対のツメ部の内側面まで回り込み、前記一対のツメ部の内側面を横方向から抱えて保持する一対の内側面抱え保持部とを有しており、
前記一対のスプリングを対向させ、前記一対のスプリングそれぞれの一対の外側面抱え保持部が２重になり、かつ、一対の内側面抱え保持部が対向するように配置して、前記一対のスプリング両側の２重になった前記外側面抱え保持部と対向する一対の内側面抱え保持部との間でそれぞれ前記一対のツメ部の外側面と内側面とを横方向から保持することを特徴とする工具保持具。
【請求項３】
請求項１または請求項２記載の工具保持具において、
前記スプリングは、
保持している前記一対のツメ部がその後端部より先端部の方が拡がるように中央でＶ字状に折れ曲っていることを特徴とする工具保持具。
【請求項４】
請求項１〜請求項３のいずれか一の請求項に記載の工具保持具において、
前記本体部の後端側の外側面には、滑り止め部が設けられていることを特徴とする工具保持具。
【請求項５】
請求項１〜請求項４のいずれか一の請求項に記載の工具保持具において、
前記工具は、タップ等であることを特徴とする工具保持具。
【考案の詳細な説明】
【技術分野】
【０００１】
本考案は、タップ等の工具の基部を保持する工具保持具に関する。
【背景技術】
【０００２】
タップ等の工具の基部を保持する工具保持具として、例えば、コ字状スプリングの先端に外側に広がるように組み付けられて、ホルダーを回転させることによって一対のツメ部によって工具の基部を挟持するものが市販されている（尚、この市販物の先行技術文献は発見できなかった。）。このような工具保持具では、コ字状スプリングが収容するため、本体部のツメ部収容凹部に細幅のスプリング収容用溝部が設けられている。
【考案の概要】
【考案が解決しようとする課題】
【０００３】
しかし、このような従来の工具保持具では、本体部のツメ部収容凹部に細幅のスプリング収容用溝部が設けられるため、スプリング収容用溝部の分だけ、加工工程が必要になると共に、本体部の強度が低下するという問題がある。
【０００４】
また、本体部のツメ部収容凹部にスプリング収容用溝部が設けているため、スプリング収容用溝部の分だけ本体部全体の長さが長くなり、コンパクト化（小型化）の要求に反するという問題もある。
【０００５】
また、スプリング収容用溝部が本体部の雄ネジ部にまで達している場合には、スプリング収容用溝部によって雄ネジ部にバリが発生し、ホルダーの円滑な締め付けを阻害するという問題もある。
【０００６】
さらに、一対のツメ部の後端部には、コ字状スプリングの先端を通すためのスプリング通し穴が形成されているため、スプリング通し穴を設けていない場合よりも、一対のツメ部の強度や耐久性が低下するという問題もある。
【０００７】
そこで、本考案は、以上のような問題点に着目してなされたもので、本体部のスプリング収容用溝部を不要にしてその分だけ加工を簡単にできると共に、本体部全体の強度の向上とコンパクト化を図ることができ、さらには一対のツメ部のスプリング通し穴も不要にして一対のツメ部の強度や耐久性が向上させることができる工具保持具を提供することを目的とする。
【課題を解決するための手段】
【０００８】
前記課題を解決するため、本考案の工具保持具は、工具の基部を挟持して保持する工具保持具であって、前記工具の基部を対向する工具挟持部によって挟持する一対のツメ部と、前記一対のツメ部それぞれの側面を横方向から支持して、前記一対のツメ部をそれぞれの工具挟持部が対向するように保持するスプリングと、前記一対のツメ部が収容されるツメ部収容凹部が形成されると共に、そのツメ部収容凹部の後方の外側面に雄ネジ部が形成された本体部と、後端側の内周面には前記本体部の雄ネジ部に螺合する雌メジ部が形成されている一方、先端側の内周面には前記雌ネジ部を前記本体部の雄ネジ部に螺合させて回転させた際に前記ツメ部収容凹部に収容された前記一対のツメ部の外側面を内側に押圧することによって前記一対のツメ部を互いに近接させ、当該一対のツメ部それぞれの工具挟持部によって前記工具を挟持する先細に傾斜した締付け面が形成されたホルダーとを有する。
ここで、前記スプリングは、一対のスプリングからなり、その一対のスプリングは、それぞれ、両側に一対のツメ部の外側面を横方向から抱えて保持する一対の外側面抱え保持部と、その一対の外側面抱え保持部の先端部が折れ曲がって前記一対のツメ部の内側面まで回り込み、前記一対のツメ部の内側面を横方向から抱えて保持する一対の内側面抱え保持部とを有しており、前記一対のスプリングを対向させ、前記一対のスプリングそれぞれの一対の外側面抱え保持部が２重になり、かつ、一対の内側面抱え保持部が対向するように配置して、前記一対のスプリング両側の２重になった前記外側面抱え保持部と対向する一対の内側面抱え保持部との間でそれぞれ前記一対のツメ部の外側面と内側面とを横方向から保持するとさらに良い。
また、前記スプリングは、保持している前記一対のツメ部がその後端部より先端部の方が拡がるように中央でＶ字状に折れ曲っているとさらに良い。
また、前記本体部の後端側の外側面には、滑り止め部が設けられているとさらに良い。
なお、前記工具は、例えば、タップ等である。
【考案の効果】
【０００９】
本考案の工具保持具によれば、一対のツメ部それぞれの側面を横方向から支持して、一対のツメ部をそれぞれの工具挟持部が対向するように保持するスプリングを有するため、本体部にスプリング収容用溝部を設ける必要がなくなり、スプリング収容用溝部の分だけ加工が簡単になると共に、本体部全体の強度の向上とコンパクト化を図ることができる。
また、一対のツメ部にはスプリング通し穴が不要になるので、一対のツメ部の強度や耐久性が向上させることができ、この点でも製品の品質が向上する。
【図面の簡単な説明】
【００１０】
【図１】本考案に係る実施形態の工具保持具の分解した状態を示す正面図である。
【図２】本考案に係る実施形態の工具保持具の分解した状態を示す平面図である。
【図３】（ａ）〜（ｃ）それぞれ本考案に係る実施形態の工具保持具を構成する一方のスプリングの平面図、左側面図、一対のスプリングの組み合わせ状態を示す平面図である。
【図４】（ａ）〜（ｄ）それぞれ本考案に係る実施形態の工具保持具を構成する一方のツメ部の正面図、底面図、左側面図、右側面図である。
【図５】（ａ）〜（ｃ）それぞれ本考案に係る実施形態の工具保持具を構成する本体部の部分断面正面図、左側面図、右側面図である。
【図６】（ａ）〜（ｃ）それぞれ本考案に係る実施形態の工具保持具を構成するホルダーの正面図、左側面図、Ａ−Ａ線断面図である。
【図７】（ａ）〜（ｃ）それぞれ本考案に係る実施形態の工具保持具における一対のツメ部が離間している状態を示す部分断面正面図、右側面図、Ｂ−Ｂ線断面図である。
【図８】（ａ）〜（ｃ）それぞれ本考案に係る実施形態の工具保持具における一対のツメ部が狭まって工具をチャックする状態を示す部分断面正面図、右側面図、Ｃ−Ｃ線断面図である。
【図９】本考案に係る実施形態の工具保持具の後端部にハンドル等が装着され、かつ、先端側の一対のツメ部が狭まって工具をチャックした状態を示す部分断面正面図である。
【考案を実施するための形態】
【００１１】
以下、本考案に係る実施形態の工具保持具の一例について、図面を参照して説明する。
【００１２】
本考案の工具保持具１は、後述する図9に示すように棒状のタップ等の工具２の基部２１をチャック（挟持）して保持するもので、図１や図２等に示すように、一対のスプリング１１，１１と、一対のツメ部１２，１２と、本体部１３と、ホルダー１４とを備えている。
【００１３】
一対のスプリング１１，１１は、それぞれ、図３等に示すように、その両側を内側に曲線状に折り曲げることによって一対のツメ部１２，１２の外側面１２ｂ，１２ｂを横方向から抱え込むようにして保持する外側面抱え保持部１１ａ,１１ａと、その外側面抱え保持部１１ａ,１１ａの先端側を折り返して一対のツメ部１２，１２の後述する工具挟持溝部１２ａ１，１２ａ１が設けられた内側面１２ａまで回り込む内側面抱え保持部１１ｂ,１１ｂとを設けている。そして、一対のスプリング１１，１１は、図３（ｃ）に示すように、一対のスプリング１１，１１を対向させて図３（ｃ）上、上下両側の外側面抱え保持部１１ａ,１１ａがそれぞれ２重になり、かつ、一対のスプリング１１，１１の内側面抱え保持部１１ｂ,１１ｂ同士が、図３（ｃ）上、左右方向で互いに対向するように配置して、２重になった外側面抱え保持部１１ａ,１１ａと、互い対向する内側面抱え保持部１１ｂ,１１ｂとによって一対のツメ部１２，１２を保持させる。
【００１４】
また、一対のスプリング１１，１１は、それぞれ、保持している一対のツメ部１２，１２が、それぞれ、図２に示すようにその後端部より先端部の方が拡がるように中央でＶ字状に折れ曲っている。
【００１５】
一対のツメ部１２，１２は、それぞれ、図４（ａ）〜（ｄ）に示すように構成されており、一対のスプリング１１，１１により外側に広がるように組み付けられて、後述するようにホルダー１４の円錐台形状の締付け面１４ｂによって押さえ付けられて工具の基部を挟持するもので、対向する内側の内側面１２ａ，１２ａと、外側の外側面１２ｂ，１２ｂとを有している。
【００１６】
内側面１２ａ，１２ａには、図４（ｂ）〜（ｄ）に示すようにその軸線方向に工具の基部を挟持する開口角度がほぼ９０度の断面Ｖ字形状の工具挟持溝部１２ａ１，１２ａ１が設けられている共に、その軸線方向に対し直交方向に一対のスプリング１１，１１の内側面抱え保持部１１ｂ,１１ｂが嵌る開口角度がほぼ９０度の断面Ｖ字形状の内側面側スプリング嵌合溝部１２ａ２，１２ａ２が設けられている。
【００１７】
一方、外側面１２ｂ，１２ｂには、外側面１２ｂ，１２ｂの表面から凹み、一対のスプリング１１，１１の外側面抱え保持部１１ａ,１１ａが嵌る外側面側スプリング嵌合溝部１２ｂ１，１２ｂ１が設けられている。
【００１８】
本体部１３は、図５（ａ）〜（ｃ）に示すように、先端部側には、一対のスプリング１１，１１により外側に広がるように組み付けられた一対のツメ部１２，１２が収容されるツメ部収容凹部１３ａが形成されると共に、ツメ部収容凹部１３ａの後方となる本体部１３の中央部の外側面には、ホルダー１４の後述する雌メジ部１４ｃが螺合する雄ネジ部１３ｂが形成されている。また、本体部１３の後端部側は、円筒状に形成されており、その内周面には本体部１３を駆動させる為のハンドル等の回転軸部３の連結部３１が挿入される連結部用凹部１３ｃが設けられていると共に、その外側面に所定間隔で滑り止め用凹部１３ｄが設けられている。
【００１９】
ホルダー１４は、周知のもので、図６（ａ）〜（ｃ）に示すように円筒状に構成されており、後端側の内周面には、本体部１３の雄ネジ部１３ｂに螺合する雌メジ部１４ｃが形成されていると共に、回転した際にその先端側にツメ部収容凹部１３ａに収容された一対のツメ部１２，１２の外側面を押圧して一対のツメ部１２，１２を互いに近接させ当該一対のツメ部１２，１２によって工具を挟持する先細となる円錐台形状の締付け面１４ｂが形成されている。そして、ホルダー１４の外側面の中央部には、このホルダー１４を回転させて本体部１３に取り付ける際、滑り止め用のローレット加工等１４ａが形成されている。
【００２０】
次に、以上のような構成部材からなる本実施形態の工具保持具１の組み付けた状態と、工具２のチャックについて説明する。
【００２１】
本考案に係る実施形態の工具保持具１では、以上のように構成された一対のスプリング１１，１１と、一対のツメ部１２，１２と、本体部１３と、ホルダー１４とを組み付けて、図７（ａ）〜（ｃ）に示すように、本体部１３の雄ネジ部１３ｂにホルダー１４の雌メジ部１４ｃを少しだけ螺合させる。その際、一対のスプリング１１，１１は、外側面抱え保持部１１ａ,１１ａが一対のツメ部１２，１２の外側面側スプリング嵌合溝部１２ｂ１，１２ｂ１に嵌り込む一方、内側面抱え保持部１１ｂ,１１ｂが一対のツメ部１２，１２の内側面側スプリング嵌合溝部１２ａ２，１２ａ２に嵌り込んで、図７（ａ），（ｃ）に示すように、一対のツメ部１２，１２の側面を横方向から抱え込むように保持している。
【００２２】
そして、本体部１３に対しホルダー１４をさらに回転させると、ホルダー１４の雌メジ部１４ｃが本体部１３の雄ネジ部１３ｂに螺合しているので、図７（ａ）上、ホルダー１４が左方向に移動して、図８（ａ）〜（ｃ）に示すようにホルダー１４の締付け面１４ｂによって一対のツメ部１２，１２を近接させる。
【００２３】
そのため、ホルダー１４の先端部からタップ等の工具２の基部２１を挿入後、本体部１３に対しホルダー１４を回転させると、図８（ａ）〜（ｃ）に示すように、本体部１３に対しホルダー１４が後退して、ホルダー１４の締付け面１４ｂによって一対のツメ部１２，１２の内側面１２ａ，１２ａが近接して、一対のツメ部１２，１２の工具挟持溝部１２ａ１，１２ａ１によってタップ等の工具２の基部２１を挟持して固定できる。
【００２４】
そして、図９に示すように、本体部１３の後端部側の連結部用凹部１３ｃに、本体部１３を駆動させる為のハンドル等の回転軸部３の連結部３１を挿入して、回転軸部３を回転させれば、工具保持具１に装着した工具２を回転させることができる。
【００２５】
従って、本考案に係る工具保持具１では、一対のスプリング１１，１１が一対のツメ部１２，１２の外側面１２ｂ，１２ｂを横方向から抱え込むように保持するので、上述の従来技術のように本体部１３のツメ部収容凹部１３ａにコ字状スプリングが収容される細幅のスプリング収容用溝部が不要になり、その分だけ加工工程が減り、コストを低減できると共に、本体部１３の強度を向上させることができる。
【００２６】
特に、この実施の形態の工具保持具１では、一対のスプリンググ１１，１１は、それぞれ、両側に一対のツメ部１２，１２の外側面１２ｂ，１２ｂを横方向から抱えて保持する一対の外側面抱え保持部１１ａ,１１ａと、その一対の外側面抱え保持部１１ａ,１１ａの先端部が折れ曲がって一対のツメ部１２，１２の内側面１２ａ，１２ａまで回り込み、一対のツメ部１２，１２の内側面１２ａ，１２ａを横方向から抱えて保持する一対の内側面抱え保持部１１ｂ，１１ｂとを有しており、一対のスプリング１１，１１を対向させ、一対のスプリング１１，１１それぞれの一対の外側面抱え保持部１１ａ,１１ａが２重になり、かつ、一対の内側面抱え保持部１１ｂ，１１ｂが対向するように配置して、２重になった外側面抱え保持部１１ａ,１１ａと対向する一対の内側面抱え保持部１１ｂ，１１ｂとの間でそれぞれ一対のツメ部１２，１２の外側面１２ｂ，１２ｂと内側面１２ａ，１２ａ保持するため、一対のツメ部１２，１２を横方向から確実に保持することが可能となる。
【００２７】
また、本考案に係る工具保持具１では、本体部１３のツメ部収容凹部１３ａにスプリング収容用溝部が不要になるので、その分だけ本体部１３全体の長さを短くすることが可能になり、本体部１３および工具保持具１全体をコンパクト化（小型化）することもできる。
【００２８】
また、上述の従来技術であれば、スプリング収容用溝部が本体部の雄ネジ部にまで達しており、そのスプリング収容用溝部によって雄ネジ部にバリが発生し、ホルダーの円滑な締め付けを阻害するという問題があった。これに対し、本考案に係る工具保持具１では、本体部１３のツメ部収容凹部１３ａにスプリング収容用溝部が不要になるので、スプリング収容用溝部による雄ネジ部１３ｂにバリが発生することもなくなり、ホルダー１４の円滑な回転を阻害することもなくなる。その結果、工具保持具１の品質が向上する。
【００２９】
さらに、上述の従来技術であれば、一対のツメ部の後端部にはコ字状スプリングの先端部を通すためのスプリング通し穴が形成され、一対のツメ部１２，１２の強度や耐久性が低下するが、本考案に係る工具保持具１では、一対のツメ部１２，１２の側面を横方向から抱え込むように一対のスプリング１１，１１によって挟むようにして保持するので、一対のツメ部１２，１２の後端部にスプリング通し穴が不要になる。そのため、本考案に係る工具保持具１では、一対のツメ部１２，１２の強度や耐久性が向上させることができるので、この点でも製品の品質が向上する。
【００３０】
また、一対のスプリング１１，１１両側の２重になった外側面抱え保持部１１ａ,１１ａにて保持している一対のツメ部１２，１２の後端部より先端部の方が拡がるようにそれぞれ中央でＶ字状に折れ曲っているため、本考案に係る工具保持具１では、一対のスプリング１１，１１によって一対のツメ部１２，１２の先端部がその後端部より外側に拡がった状態で保持されるので、タップ等の工具２の基部２１を容易に挿入することができる。
【００３１】
また、本体部１３の後端部には、本体部１３を駆動させる為のハンドル等の回転軸部３の連結部３１が挿入される連結部装着用凹部１３ｃの外側面に所定間隔で複数の滑り止め用凹部１３ｄが形成されているため、ユーザーはハンドル等の回転軸部３の連結部３１挿入しなくてもある程度は本体部１３を滑らずに回転させることができる。そのため、ユーザーは工具保持具１を手で回転させる際に、誤ってホルダー１４の外側面の滑り止め部１４aを握って回転させることがなくなり、ホルダー部１４が誤って緩んでしまい装着していた工具２が外れることがなくなり、作業性が向上する。
【００３２】
なお、上記実施の形態の説明では、一対のツメ部１２，１２をそれらの内側面を対向させてそれらの側面を横方向から保持するスプリングは、外側面抱え保持部１１ａ,１１ａおよび内側面抱え保持部１１ｂ，１１ｂを有する一対のスプリング１１，１１で説明したが、本発明ではこれに限らず、一対のツメ部１２，１２をそれらの内側面を対向させてそれらの外側面を横方向から保持するスプリングであれば、例えば、円環状や楕円環状等の一体式のスプリングでも良い。
【符号の説明】
【００３３】
１  工具保持具
１１，１１  一対のスプリング
１１ａ,１１ａ  外側面抱え保持部
１１ｂ，１１ｂ  内側面抱え保持部
１２，１２  一対のツメ部
１２ａ，１２ａ  内側面
１２ａ１，１２ａ１  工具挟持溝部（工具挟持部）
１２ａ２，１２ａ２  内側面側スプリング嵌合溝部
１２ｂ，１２ｂ  外側面
１２ｂ１，１２ｂ１  外側面側スプリング嵌合溝部
１３  本体部
１３ａ  ツメ部収容凹部
１３ｂ  雄ネジ部
１３ｃ  連結部用凹部
１３ｄ  滑り止め用凹部
１４  ホルダー
１４ａ  ローレット加工等
１４ｂ  締付け面
１４ｃ  雌ねじ部
【図１】
0003186394.tif 000003
【図２】
0003186394.tif 000004
【図３】
0003186394.tif 000005
【図４】
0003186394.tif 000006
【図５】
0003186394.tif 000007
【図６】
0003186394.tif 000008
【図７】
0003186394.tif 000009
【図８】
0003186394.tif 000010
【図９】
0003186394.tif 000011